(57)【要約】  本実施形態に係る移動通信システムは、移動局ＵＥ＃Ｙからホームセル＃ａを介して無線リンク設定要求を受信した場合には、第１選択候補グループの中から、移動局ＵＥ＃Ｙとの間で無線リンクを確立するセルを選択するように構成されており、移動局ＵＥ＃Ｘからマクロセル＃Ａを介して無線リンク設定要求を受信した場合には、第２選択候補グループの中から、移動局ＵＥ＃Ｘとの間で無線リンクを確立するセルを選択するように構成されている。
2009107802.tif 000002
【特許請求の範囲】
【請求項１】
第１周波数が利用されている第１マクロセル及び第１ホームセルを有する移動通信システムであって、
前記第１ホームセルは、前記第１マクロセルによってカバーされているエリアの一部をカバーするように構成されており、
第１選択候補グループは、前記第１ホームセルと、前記第１マクロセルと、前記第１周波数とは異なる周波数が利用されている少なくとも１つの第２マクロセルとを含むように構成されており、
第２選択候補グループは、前記第１ホームセル及び前記第１マクロセルを含まず、少なくとも１つの前記第２マクロセルを含むように構成されており、
移動局から前記第１ホームセルを介して無線リンク設定要求を受信した場合には、前記第１選択候補グループの中から、該移動局との間で無線リンクを確立するセルを選択するように構成されており、
前記移動局から前記第１マクロセルを介して無線リンク設定要求を受信した場合には、前記第２選択候補グループの中から、該移動局との間で無線リンクを確立するセルを選択するように構成されていることを特徴とする移動通信システム。
【請求項２】
第１周波数が利用されている第１マクロセル及び第１ホームセルを有する移動通信システムで用いられるネットワーク装置であって、
前記第１ホームセルは、前記第１マクロセルによってカバーされているエリアの一部をカバーするように構成されており、
第１選択候補グループは、前記第１ホームセルと、前記第１マクロセルと、前記第１周波数とは異なる周波数が利用されている少なくとも１つの第２マクロセルとを含むように構成されており、
第２選択候補グループは、前記第１ホームセル及び前記第１マクロセルを含まず、少なくとも１つの前記第２マクロセルを含むように構成されており、
移動局から前記第１ホームセルを介して無線リンク設定要求を受信した場合には、前記第１選択候補グループの中から、該移動局との間で無線リンクを確立するセルを選択するように構成されており、
前記移動局から前記第１マクロセルを介して無線リンク設定要求を受信した場合には、前記第２選択候補グループの中から、該移動局との間で無線リンクを確立するセルを選択するように構成されていることを特徴とするネットワーク装置。
【請求項３】
第１周波数が利用されている第１マクロセル及び第１ホームセルを有する移動通信システムであって、
第１選択候補グループは、前記第１ホームセルと、前記第１マクロセルと、前記第１周波数とは異なる周波数が利用されている少なくとも１つの第２マクロセルとを含むように構成されており、
第２選択候補グループは、前記第１ホームセル及び前記第１マクロセルを含まず、少なくとも１つの前記第２マクロセルを含むように構成されており、
前記移動局から無線リンク設定要求を受信した場合に、該移動局の位置情報を測定するように構成されており、
測定された前記移動局の位置情報に応じて、前記第１選択候補グループ或いは前記第２選択候補グループのいずれかから、該移動局との間で無線リンクを確立するセルを選択するように構成されていることを特徴とする移動通信システム。
【請求項４】
第１周波数が利用されている第１マクロセル及び第１ホームセルを有する移動通信システムで用いられるネットワーク装置であって、
第１選択候補グループは、前記第１ホームセルと、前記第１マクロセルと、前記第１周波数とは異なる周波数が利用されている少なくとも１つの第２マクロセルとを含むように構成されており、
第２選択候補グループは、前記第１ホームセル及び前記第１マクロセルを含まず、少なくとも１つの前記第２マクロセルを含むように構成されており、
前記移動局から無線リンク設定要求を受信した場合に、該移動局の位置情報を測定するように構成されており、
測定された前記移動局の位置情報に応じて、前記第１選択候補グループ或いは前記第２選択候補グループのいずれかから、該移動局との間で無線リンクを確立するセルを選択するように構成されていることを特徴とするネットワーク装置。
【発明の詳細な説明】
【技術分野】
【０００１】
本発明は、第１周波数が利用されている第１マクロセル及び第１ホームセルを有する移動通信システム及びネットワーク装置に関する。
【背景技術】
【０００２】
従来、図１に示すように、同一のスクランブルコードＳＣ１が設定されているエリアにおいて、異なる周波数が利用されている複数のマクロセル＃Ａ、＃Ｂ、＃Ｃ、＃Ｄが設定されている移動通信システムが知られている。【０００３】
かかる移動通信システムにおいて、無線制御装置ＲＮＣは、各移動局ＵＥについての発着信処理や移動制御処理や終話処理時において、各マクロセルにおける使用率やセル種別やアクセスリストや提供可能なサービス種別等に基づいて、各移動局ＵＥとの間で無線リンクを設定するマクロセルを選択することによって、トラヒックの分散や効率的な周波数利用を実現している。【０００４】
ＩＭＴ２０００方式の移動通信システムでは、マクロセル毎に設定されたスクランブルコードによりエリアを細分化しており、無線制御装置ＲＮＣが、移動局ＵＥから送信されたトリガ信号を受信した場合、同一のスクランブルコードが設定されているマクロセル＃Ａ、＃Ｂ、＃Ｃ、＃Ｄを、各移動局ＵＥとの間で無線リンクを設定するマクロセルの候補として決定するように構成されている。【０００５】
しかしながら、従来の移動通信システムにおける無線制御装置ＲＮＣは、移動局ＵＥから送信されたトリガ信号を受信した際、マクロセル内における当該移動局ＵＥの存在位置について識別することなく、各移動局ＵＥとの間で無線リンクを設定するマクロセルの候補を決定するように構成されている。【０００６】
この結果、例えば、図１に示すように、周波数ｆ１が利用されているホームセル＃ａが、同じく周波数ｆ１が利用されているマクロセル＃Ａ内に存在している場合に、ホームセル＃ａに対してアクセス不可能な移動局ＵＥ＃Ｙが、マクロセル＃Ａとの間で無線リンクを確立する可能性があり、ホームセル＃ａにおける電波が干渉波となり、通信品質が劣化してしまう可能性があるという問題点があった。
【発明の開示】
【０００７】
そこで、本発明は、上述の課題に鑑みてなされたものであり、周波数ｆ１が利用されているホームセル＃ａが、同じく周波数ｆ１が利用されているマクロセル＃Ａ内に存在している場合に、ホームセル＃ａによる干渉の影響を回避しつつ、周波数利用効率の向上を図ることができる移動通信システム及びネットワーク装置を提供することを目的とする。
【０００８】
本発明の第１の特徴は、第１周波数が利用されている第１マクロセル及び第１ホームセルを有する移動通信システムであって、前記第１ホームセルは、前記第１マクロセルによってカバーされているエリアの一部をカバーするように構成されており、第１選択候補グループは、前記第１ホームセルと、前記第１マクロセルと、前記第１周波数とは異なる周波数が利用されている少なくとも１つの第２マクロセルとを含むように構成されており、第２選択候補グループは、前記第１ホームセル及び前記第１マクロセルを含まず、少なくとも１つの前記第２マクロセルを含むように構成されており、移動局から前記第１ホームセルを介して無線リンク設定要求を受信した場合には、前記第１選択候補グループの中から、該移動局との間で無線リンクを確立するセルを選択するように構成されており、前記移動局から前記第１マクロセルを介して無線リンク設定要求を受信した場合には、前記第２選択候補グループの中から、該移動局との間で無線リンクを確立するセルを選択するように構成されていることを要旨とする。
【０００９】
本発明の第２の特徴は、第１周波数が利用されている第１マクロセル及び第１ホームセルを有する移動通信システムで用いられるネットワーク装置であって、前記第１ホームセルは、前記第１マクロセルによってカバーされているエリアの一部をカバーするように構成されており、第１選択候補グループは、前記第１ホームセルと、前記第１マクロセルと、前記第１周波数とは異なる周波数が利用されている少なくとも１つの第２マクロセルとを含むように構成されており、第２選択候補グループは、前記第１ホームセル及び前記第１マクロセルを含まず、少なくとも１つの前記第２マクロセルを含むように構成されており、移動局から前記第１ホームセルを介して無線リンク設定要求を受信した場合には、前記第１選択候補グループの中から、該移動局との間で無線リンクを確立するセルを選択するように構成されており、前記移動局から前記第１マクロセルを介して無線リンク設定要求を受信した場合には、前記第２選択候補グループの中から、該移動局との間で無線リンクを確立するセルを選択するように構成されていることを要旨とする。
【００１０】
本発明の第３の特徴は、第１周波数が利用されている第１マクロセル及び第１ホームセルを有する移動通信システムであって、第１選択候補グループは、前記第１ホームセルと、前記第１マクロセルと、前記第１周波数とは異なる周波数が利用されている少なくとも１つの第２マクロセルとを含むように構成されており、第２選択候補グループは、前記第１ホームセル及び前記第１マクロセルを含まず、少なくとも１つの前記第２マクロセルを含むように構成されており、前記移動局から無線リンク設定要求を受信した場合に、該移動局の位置情報を測定するように構成されており、測定された前記移動局の位置情報に応じて、前記第１選択候補グループ或いは前記第２選択候補グループのいずれかから、該移動局との間で無線リンクを確立するセルを選択するように構成されていることを要旨とする。
【００１１】
本発明の第４の特徴は、第１周波数が利用されている第１マクロセル及び第１ホームセルを有する移動通信システムで用いられるネットワーク装置であって、第１選択候補グループは、前記第１ホームセルと、前記第１マクロセルと、前記第１周波数とは異なる周波数が利用されている少なくとも１つの第２マクロセルとを含むように構成されており、第２選択候補グループは、前記第１ホームセル及び前記第１マクロセルを含まず、少なくとも１つの前記第２マクロセルを含むように構成されており、前記移動局から無線リンク設定要求を受信した場合に、該移動局の位置情報を測定するように構成されており、測定された前記移動局の位置情報に応じて、前記第１選択候補グループ或いは前記第２選択候補グループのいずれかから、該移動局との間で無線リンクを確立するセルを選択するように構成されていることを要旨とする。
【図面の簡単な説明】
【００１２】
【図１】本発明の第１の実施形態に係る移動通信システムの全体構成図である。
【図２】本発明の第１の実施形態に係る無線制御装置の機能ブロック図である。
【図３】本発明の第１の実施形態に係る無線制御装置の親子関係管理部によって管理されている親子関係の一例を示す図である。
【図４】本発明の第１の実施形態に係る無線制御装置のアクセスリスト管理部によって管理されているアクセスリストの一例を示す図である。
【図５】本発明の第１の実施形態に係る移動通信システムにおいて無線リンクを設定する動作を示すシーケンス図である。
【図６】本発明の第１の実施形態に係る移動通信システムにおいて無線リンクを設定する動作を示すシーケンス図である。
【図７】本発明の第１の実施形態に係る移動通信システムにおいて無線リンクを設定する動作を示すシーケンス図である。
【図８】本発明の第１の実施形態に係る移動通信システムにおいて無線リンクを設定する動作を示すシーケンス図である。
【図９】本発明の変更例１に係る移動通信システムの全体構成図である。
【図１０】本発明の変更例２に係る移動通信システムの全体構成図である。
【図１１】本発明の変更例３に係る移動通信システムの全体構成図である。
【図１２】本発明の変更例４に係る移動通信システムの全体構成図である。
【発明を実施するための最良の形態】
【００１３】
（本発明の第１の実施形態に係る移動通信システムの構成）
図１乃至図４を参照して、本発明の第１の実施形態に係る移動通信システムの構成について説明する。【００１４】
図１に示すように、本実施形態に係る移動通信システムは、ネットワークに接続されているゲートウェイ装置ＧＷと、交換局ＭＳＣ/ＳＧＳＮと、無線制御装置ＲＮＣと、無線基地局ＮｏｄｅＢ＃Ａ乃至ＮｏｄｅＢ＃Ｄと、ホーム無線基地局Ｈｏｍｅ-ＮｏｄｅＢ＃ａと、移動局ＵＥ＃Ｘ、ＵＥ＃Ｙとを具備している。【００１５】
本実施形態では、無線基地局ＮｏｄｅＢ＃Ａによって管理されているマクロセル＃Ａでは、周波数ｆ１が利用されており、無線基地局ＮｏｄｅＢ＃Ｂによって管理されているマクロセル＃Ｂでは、周波数ｆ２が利用されており、無線基地局ＮｏｄｅＢ＃Ｃによって管理されているマクロセル＃Ｃでは、周波数ｆ３が利用されており、無線基地局ＮｏｄｅＢ＃Ｄによって管理されているマクロセル＃Ｄでは、周波数ｆ４が利用されている。【００１６】
また、ホーム無線基地局Ｈｏｍｅ-ＮｏｄｅＢ＃ａによって管理されているホームセル＃ａ（第１ホームセル）では、マクロセル＃Ａ（第１マクロセル）と同一の周波数である周波数ｆ１（第１周波数）が利用されている。【００１７】
図１に示すように、ホームセル＃ａは、マクロセル＃Ａによってカバーされているエリアの一部をカバーするように構成されている。【００１８】
また、マクロセル＃Ａ乃至＃Ｄに対しては、同一のスクランブルコードＳＣ１が設定されている。なお、ホームセル＃ａに対して設定されているスクランブルコードＳＣ１ａは、マクロセル＃Ａ乃至＃Ｄに対して設定されているのスクランブルコードＳＣ１と同じスクランブルコードであってもよいし、かかるスクランブルコードＳＣ１と異なるスクランブルコードであってもよい。【００１９】
図２に示すように、本実施形態に係る無線制御装置ＲＮＣは、無線リンク設定要求受信部１１と、親子関係管理部１２と、アクセスリスト管理部１３と、位置情報取得部１４と、セル選択部１５と、無線リンク設定部１６とを具備するネットワーク装置として機能する。【００２０】
無線リンク設定要求受信部１１は、移動局ＵＥから送信される無線リンク設定要求を受信するように構成されている。【００２１】
具体的には、無線リンク設定要求受信部１１は、ＩＤＬＥ状態又は共通チャネル状態等にある移動局ＵＥから、「ＲＲＣ  Ｃｏｎｎｅｃｔｉｏｎ  Ｒｅｑｕｅｓｔメッセージ」や「Ｃｅｌｌ  Ｕｐｄａｔｅメッセージ」や「Ｍｅａｓｕｒｅｍｅｎｔ  Ｒｅｐｏｒｔメッセージ」等を受信するように構成されている。【００２２】
親子関係管理部１２は、図２に示すように、ホームセルと、かかるホームセルによってカバーされているエリアの少なくとも１部をカバーするマクロセルとを関連付けて管理するように構成されている。ここで、親子関係管理部１２は、セルＩＤやスクランブルコードによって、各セル（マクロセル及びホームセル）を識別するように構成されている。【００２３】
アクセスリスト管理部１３は、図３に示すように、各ホームセルにおいて、アクセス可能移動局のリスト（アクセスリスト）を管理するように構成されている。なお、アクセスリスト管理部１３は、各ホームセルにおいて、アクセス規制移動局のリスト（アクセス規制リスト）を管理するように構成されていてもよい。【００２４】
位置情報取得部１４は、移動局ＵＥの位置情報を取得するように構成されている。【００２５】
例えば、位置情報取得部１４は、ＧＰＳ測位結果や、無線基地局ＮｏｄｅＢと移動局ＵＥとの間の伝搬遅延測定結果等によって、移動局ＵＥの位置情報を取得するように構成されていてもよい。【００２６】
また、位置情報取得部１４は、移動局ＵＥが無線リンクを確立している無線基地局ＮｏｄｅＢの位置情報に基づいて、当該移動局ＵＥの位置情報を算出するように構成されていてもよい。【００２７】
例えば、移動局ＵＥが、複数の無線基地局ＮｏｄｅＢとの間で無線リンクを確立している場合、位置情報取得部１４は、複数の無線基地局ＮｏｄｅＢの位置情報の中点を、当該移動局ＵＥの位置情報としてもよい。【００２８】
セル選択部１５は、移動局ＵＥ＃Ｙからホームセル＃ａを介して無線リンク設定要求を受信した場合には、第１選択候補グループの中から、移動局ＵＥ＃Ｙとの間で無線リンクを確立するセルを選択するように構成されている。【００２９】
かかる場合、移動局ＵＥ＃Ｙは、ホームセル＃ａに対するアクセスが許可されており、ホームセル＃ａにおいて待ち受けを行っている。【００３０】
一方、セル選択部１５は、移動局ＵＥ＃Ｘからマクロセル＃Ａを介して無線リンク設定要求を受信した場合には、第２選択候補グループの中から、移動局ＵＥ＃Ｘとの間で無線リンクを確立するセルを選択するように構成されている。【００３１】
かかる場合、移動局ＵＥ＃Ｘは、ホームセル＃ａに対するアクセスが許可されていてもよいし、ホームセル＃ａに対するアクセスが規制されていてもよい。また、かかる場合、移動局ＵＥ＃Ｘは、マクロセル＃Ａにおいて待ち受けを行っている。【００３２】
ここで、第１選択候補グループは、ホームセル＃ａと、マクロセル＃Ａと、周波数ｆ１とは異なる周波数が利用されている少なくとも１つの第２マクロセル（図１の例では、マクロセル＃Ｂ、＃Ｃ、＃Ｄ）とを含むように構成されている。【００３３】
また、第２選択候補グループは、ホームセル＃ａ及びマクロセル＃Ａを含まず、少なくとも１つの第２マクロセル（図１の例では、マクロセル＃Ｂ、＃Ｃ、＃Ｄ）を含むように構成されている。【００３４】
また、セル選択部１５は、移動局ＵＥから無線リンク設定要求を受信した場合に、位置情報取得部１４によって測定（取得）された移動局ＵＥの位置情報に応じて、上述の第１選択候補グループ或いは第２選択候補グループのいずれかから、移動局ＵＥとの間で無線リンクを確立するセルを選択するように構成されている。【００３５】
図１に示すように、例えば、セル選択部１５は、移動局ＵＥ＃Ｚからマクロセル＃Ｂを介して無線リンク設定要求を受信した場合で、かつ、移動局ＵＥ＃Ｚがホームセル＃ａによってカバーされているエリア内に位置すると判定した場合には、図４に示すアクセスリスト管理部１３を参照して、移動局ＵＥ＃Ｚのホームセル＃ａに対するアクセスが規制されていることを認識し、図３に示す親子関係管理部１２を参照して、ホームセル＃ａ及びマクロセル＃Ａを含まず、マクロセル＃Ｂ、＃Ｃ、＃Ｄを含むように構成されている第２選択候補グループの中から、移動局ＵＥ＃Ｚとの間で無線リンクを確立するセルを選択するように構成されている。【００３６】
また、図１に示すように、例えば、セル選択部１５は、移動局ＵＥ＃Ｙからマクロセル＃Ａを介して無線リンク設定要求を受信した場合で、かつ、移動局ＵＥ＃Ｙがホームセル＃ａによってカバーされているエリア内に位置すると判定した場合には、図４に示すアクセスリスト管理部１３を参照して、移動局ＵＥ＃Ｙのホームセル＃ａに対するアクセスが許可されていることを認識し、ホームセル＃ａ及びマクロセル＃Ａ、＃Ｂ、＃Ｃ、＃Ｄを含むように構成されている第１選択候補グループの中から、移動局ＵＥ＃Ｙとの間で無線リンクを確立するセルを選択するように構成されている。【００３７】
さらに、図１に示すように、例えば、セル選択部１５は、移動局ＵＥ＃Ｘからマクロセル＃Ａを介して無線リンク設定要求を受信した場合で、かつ、移動局ＵＥ＃Ｘがホームセル＃ａによってカバーされているエリア内に位置しないと判定した場合には、図４に示すアクセスリスト管理部１３を参照することなく（すなわち、移動局ＵＥ＃Ｘのホームセル＃ａに対するアクセスが許可されているか否かに関らず）、マクロセル＃Ａ、＃Ｂ、＃Ｃ、＃Ｄを含むように構成されている第３選択候補グループの中から、移動局ＵＥ＃Ｘとの間で無線リンクを確立するセルを選択するように構成されている。【００３８】
無線リンク設定部１６は、セル選択部１５によって選択されたセルと当該移動局ＵＥとの間で、無線リンクを設定するように構成されている。【００３９】
（本発明の第１の実施形態に係る移動通信システムの動作）
図５乃至図８を参照して、本発明の第１の実施形態に係る移動通信システムの動作について説明する。【００４０】
第１に、図５を参照して、図１に示す移動局ＵＥ＃Ｘが無線リンクを確立する動作について説明する。【００４１】
図５に示すように、ステップＳ１００１において、マクロセル＃Ａにおいて待ち受けを行っている移動局ＵＥ＃Ｘは、マクロセル＃Ａ（マクロセル＃Ａを管理する無線基地局ＮｏｄｅＢ＃Ａ）を介して、無線制御装置ＲＮＣに対して、無線リンク設定要求を送信する。【００４２】
ステップＳ１００２において、無線制御装置ＲＮＣは、移動局ＵＥ＃Ｘからマクロセル＃Ａ（マクロセル＃Ａを管理する無線基地局ＮｏｄｅＢ＃Ａ）を介して無線リンク設定要求を受信し、マクロセル＃Ｂ、＃Ｃ、＃Ｄを含む第２選択候補グループの中から、移動局ＵＥ＃Ｘとの間で無線リンクを確立するセルを選択する。【００４３】
或いは、ステップＳ１００２において、無線制御装置ＲＮＣは、移動局ＵＥ＃Ｘからマクロセル＃Ａを介して無線リンク設定要求を受信し、移動局ＵＥ＃Ｘがホームセル＃ａによってカバーされているエリア内に位置しないと判定し、マクロセル＃Ａ、＃Ｂ、＃Ｃ、＃Ｄを含むように構成されている第３選択候補グループの中から、移動局ＵＥ＃Ｘとの間で無線リンクを確立するセルを選択してもよい。【００４４】
ステップＳ１００３において、無線制御装置ＲＮＣは、ステップＳ１００２において選択されたセル（セルを管理する無線基地局ＮｏｄｅＢ）と移動局ＵＥ＃Ｘとの間の無線リンク設定手順を実施し、ステップＳ１００４において、ステップＳ１００２において選択されたセル（セルを管理する無線基地局ＮｏｄｅＢ）と移動局ＵＥ＃Ｘとの間で無線リンクが設定される。【００４５】
第２に、図６を参照して、図１に示す移動局ＵＥ＃Ｙが無線リンクを確立する第１の動作について説明する。【００４６】
図６に示すように、ステップＳ２００１において、ホームセル＃ａにおいて待ち受けを行っている移動局ＵＥ＃Ｙは、ホームセル＃ａ（ホームセル＃ａを管理するホーム無線基地局Ｈｏｍｅ-ＮｏｄｅＢ＃ａ）を介して、無線制御装置ＲＮＣに対して、無線リンク設定要求を送信する。【００４７】
ステップＳ２００２において、無線制御装置ＲＮＣは、移動局ＵＥ＃Ｙからホームセル＃ａ（ホームセル＃ａを管理するホーム無線基地局Ｈｏｍｅ-ＮｏｄｅＢ＃ａ）を介して無線リンク設定要求を受信し、ホームセル＃ａ、マクロセル＃Ａ、＃Ｂ、＃Ｃ、＃Ｄを含む第１選択候補グループの中から、移動局ＵＥ＃Ｙとの間で無線リンクを確立するセルを選択する。【００４８】
ステップＳ２００３において、無線制御装置ＲＮＣは、ステップＳ２００２において選択されたセル（セルを管理する無線基地局ＮｏｄｅＢ/Ｈｏｍｅ-ＮｏｄｅＢ）と移動局ＵＥ＃Ｙとの間の無線リンク設定手順を実施し、ステップＳ２００４において、ステップＳ２００２において選択されたセル（セルを管理する無線基地局ＮｏｄｅＢ/Ｈｏｍｅ-ＮｏｄｅＢ）と移動局ＵＥ＃Ｙとの間で無線リンクが設定される。【００４９】
第３に、図７を参照して、図１に示す移動局ＵＥ＃Ｙが無線リンクを確立する第２の動作について説明する。【００５０】
図７に示すように、ステップＳ３００１において、マクロセル＃Ａにおいて待ち受けを行っている移動局ＵＥ＃Ｙは、マクロセル＃Ａ（マクロセル＃Ａを管理する無線基地局ＮｏｄｅＢ＃Ａ）を介して、無線制御装置ＲＮＣに対して、無線リンク設定要求を送信する。【００５１】
ステップＳ３００２において、無線制御装置ＲＮＣは、移動局ＵＥ＃Ｙからマクロセル＃Ａ（マクロセル＃Ａを管理する無線基地局ＮｏｄｅＢ＃Ａ）を介して無線リンク設定要求を受信し、移動局ＵＥ＃Ｙがホームセル＃ａによってカバーされているエリア内に位置すると判定し、かつ、移動局ＵＥ＃Ｙのホームセル＃ａに対するアクセスが許可されていることを認識し、ホームセル＃ａ及びマクロセル＃Ａ、＃Ｂ、＃Ｃ、＃Ｄを含むように構成されている第１選択候補グループの中から、移動局ＵＥ＃Ｙとの間で無線リンクを確立するセルを選択する。【００５２】
ステップＳ３００３において、無線制御装置ＲＮＣは、ステップＳ３００２において選択されたセル（セルを管理する無線基地局ＮｏｄｅＢ/Ｈｏｍｅ-ＮｏｄｅＢ）と移動局ＵＥ＃Ｙとの間の無線リンク設定手順を実施し、ステップＳ３００４において、ステップＳ３００２において選択されたセル（セルを管理する無線基地局ＮｏｄｅＢ/Ｈｏｍｅ-ＮｏｄｅＢ）と移動局ＵＥ＃Ｙとの間で無線リンクが設定される。【００５３】
第４に、図８を参照して、図１に示す移動局ＵＥ＃Ｚが無線リンクを確立する動作について説明する。【００５４】
図８に示すように、ステップＳ４００１において、マクロセル＃Ｂにおいて待ち受けを行っている移動局ＵＥ＃Ｚは、マクロセル＃Ｂ（マクロセル＃Ｂを管理する無線基地局ＮｏｄｅＢ＃Ｂ）を介して、無線制御装置ＲＮＣに対して、無線リンク設定要求を送信する。【００５５】
ステップＳ４００２において、無線制御装置ＲＮＣは、移動局ＵＥ＃Ｚからマクロセル＃Ｂ（マクロセル＃Ｂを管理する無線基地局ＮｏｄｅＢ＃Ｂ）を介して無線リンク設定要求を受信し、移動局ＵＥ＃Ｚがホームセル＃ａによってカバーされているエリア内に位置すると判定し、かつ、移動局ＵＥ＃Ｚのホームセル＃ａに対するアクセスが規制されていることを認識し、マクロセル＃Ｂ、＃Ｃ、＃Ｄを含むように構成されている第２選択候補グループの中から、移動局ＵＥ＃Ｚとの間で無線リンクを確立するセルを選択する。【００５６】
ステップＳ４００３において、無線制御装置ＲＮＣは、ステップＳ４００２において選択されたセル（セルを管理する無線基地局ＮｏｄｅＢ）と移動局ＵＥ＃Ｚとの間の無線リンク設定手順を実施し、ステップＳ４００４において、ステップＳ４００２において選択されたセル（セルを管理する無線基地局ＮｏｄｅＢ）と移動局ＵＥ＃Ｚとの間で無線リンクが設定される。【００５７】
（本発明の第１の実施形態に係る移動通信システムの作用・効果）
本発明の第１の実施形態に係る移動通信システムによれば、マクロセル＃Ａと同じ周波数ｆ１が利用されるホームセル＃ａを設置しても、ホームセル＃ａに対するアクセスが許容されていない移動局ＵＥ＃Ｘ、＃Ｚに対して、ホームセル＃ａからの干渉波の影響の無い屋外等において、効率的に周波数を利用することができる。【００５８】
本発明の第１の実施形態に係る移動通信システムによれば、ホームセル＃ａに対するアクセスが規制されている移動局ＵＥ＃Ｘ、＃Ｚのユーザが、ホームセル＃ａによってカバーされているエリア（例えば、家庭）を訪れた場合でも、かかるエリア内で、ホームセル＃ａからの干渉波の影響がない周波数を選択して通信を実施することができる。【００５９】
（変更例１）
上述の実施形態では、Ｗ-ＣＤＭＡ方式の移動通信システムを例に挙げて説明されているが、本発明は、かかる移動通信システムに限定されるものではなく、例えば、図９に示すように、ＬＴＥ（Ｌｏｎｇ  Ｔｅｒｍ  Ｅｖｏｌｕｔｉｏｎ）方式の移動通信システムにも適用可能である。【００６０】
かかる場合、上述の無線基地局ＮｏｄｅＢの機能及び無線制御局ＲＮＣの機能は、無線基地局ｅＮＢ又は交換局ＭＭＥに搭載されることになる。ここで、本変更例では、交換局ＭＭＥが、上述のネットワーク装置の役割を果たすように構成されている。【００６１】
また、交換局ＭＭＥの親子関係管理部１２は、「Ｔｒａｃｋｉｎｇ  Ａｒｅａ  ＩＤ」によって、各セル（マクロセル及びホームセル）を識別するように構成されている。【００６２】
具体的には、図９に示すように、変更例１に係る移動通信システムでは、無線基地局ＮｏｄｅＢ＃Ａ乃至ＮｏｄｅＢ＃Ｄ及びホーム無線基地局Ｈｏｍｅ-ＮｏｄｅＢ＃ａは、交換局ＭＭＥに収容されている。【００６３】
例えば、交換局ＭＭＥのセル選択部１５は、移動局ＵＥ＃Ｙからホームセル＃ａを介して無線リンク設定要求を受信した場合には、第１選択候補グループの中から、移動局ＵＥ＃Ｙとの間で無線リンクを確立するセルを選択するように構成されていてもよい。【００６４】
また、交換局ＭＭＥのセル選択部１５は、移動局ＵＥ＃Ｘからマクロセル＃Ａを介して無線リンク設定要求を受信した場合には、第２選択候補グループの中から、移動局ＵＥ＃Ｘとの間で無線リンクを確立するセルを選択するように構成されていてもよい。【００６５】
また、交換局ＭＭＥのセル選択部１５は、移動局ＵＥ＃Ｙからホームセル＃ａを介して無線リンク設定要求を受信した場合に、交換局ＭＭＥの位置情報取得部１４によって測定（取得）された移動局ＵＥ＃Ｙの位置情報に応じて、上述の第１選択候補グループ或いは第２選択候補グループのいずれかから、移動局ＵＥ＃Ｙとの間で無線リンクを確立するセルを選択するように構成されていてもよい。【００６６】
また、交換局ＭＭＥのセル選択部１５は、移動局ＵＥ＃Ｘからマクロセル＃Ａを介して無線リンク設定要求を受信した場合に、交換局ＭＭＥの位置情報取得部１４によって測定（取得）された移動局ＵＥ＃Ｘの位置情報に応じて、上述の第１選択候補グループ或いは第２選択候補グループのいずれかから、移動局ＵＥ＃Ｙとの間で無線リンクを確立するセルを選択するように構成されていてもよい。【００６７】
（変更例２）
以下、図１０を参照して、本発明の変更例２に係る移動通信システムについて、上述の第1の実施形態に係る移動通信システムとの相違点に着目して説明する。【００６８】
図１０に示すように、変更例２に係る移動通信システムでは、無線基地局ＮｏｄｅＢ＃Ａ乃至ＮｏｄｅＢ＃Ｄは、無線制御装置ＲＮＣに収容されており、ホーム無線基地局Ｈｏｍｅ-ＮｏｄｅＢ＃ａは、集約装置ＨＮＢ-ＧＷに収容されている。【００６９】
本変更例２では、無線制御装置ＲＮＣ又は集約装置ＨＮＢ-ＧＷの少なくとも一方が、上述のネットワーク装置の役割を果たすように構成されている。【００７０】
例えば、集約装置ＨＮＢ-ＧＷのセル選択部１５は、移動局ＵＥ＃Ｙからホームセル＃ａを介して無線リンク設定要求を受信した場合には、第１選択候補グループの中から、移動局ＵＥ＃Ｙとの間で無線リンクを確立するセルを選択するように構成されていてもよい。【００７１】
また、無線制御装置ＲＮＣのセル選択部１５は、移動局ＵＥ＃Ｘからマクロセル＃Ａを介して無線リンク設定要求を受信した場合には、第２選択候補グループの中から、移動局ＵＥ＃Ｘとの間で無線リンクを確立するセルを選択するように構成されていてもよい。【００７２】
また、集約装置ＨＮＢ-ＧＷのセル選択部１５は、移動局ＵＥ＃Ｙからホームセル＃ａを介して無線リンク設定要求を受信した場合に、集約装置ＨＮＢ-ＧＷの位置情報取得部１４によって測定（取得）された移動局ＵＥ＃Ｙの位置情報に応じて、上述の第１選択候補グループ或いは第２選択候補グループのいずれかから、移動局ＵＥ＃Ｙとの間で無線リンクを確立するセルを選択するように構成されていてもよい。【００７３】
また、無線制御装置ＲＮＣのセル選択部１５は、移動局ＵＥ＃Ｘからマクロセル＃Ａを介して無線リンク設定要求を受信した場合に、無線制御装置ＲＮＣの位置情報取得部１４によって測定（取得）された移動局ＵＥ＃Ｘの位置情報に応じて、上述の第１選択候補グループ或いは第２選択候補グループのいずれかから、移動局ＵＥ＃Ｙとの間で無線リンクを確立するセルを選択するように構成されていてもよい。【００７４】
或いは、集約装置ＨＮＢ-ＧＷのセル選択部１５又は無線制御装置ＲＮＣのセル選択部１５のどちらか一方が、移動局ＵＥからホームセル＃ａ又はマクロセル＃Aを介して無線リンク設定要求を受信した場合には、第１選択候補グループ又は第２選択候補グループの中から、当該移動局ＵＥとの間で無線リンクを確立するセルを選択するように構成されていてもよい。【００７５】
かかる場合、交換局ＭＳＣ/ＳＧＳＮや無線制御装置ＲＮＣやホーム無線基地局Ｈｏｍｅ-ＮｏｄｅＢ＃ａの少なくとも１つが、所定インターフェイスを介して、配下のセルに係る各種情報を、集約装置ＨＮＢ-ＧＷに通知するように構成されていてもよい。【００７６】
或いは、交換局ＭＳＣ/ＳＧＳＮや集約装置ＨＮＢ-ＧＷや無線基地局ＮｏｄｅＢ＃Ａ乃至ＮｏｄｅＢ＃Ｄの少なくとも１つが、所定インターフェイスを介して、配下のセルに係る各種情報を、無線制御装置ＲＮＣに通知するように構成されていてもよい。【００７７】
（変更例３）
以下、図１１を参照して、本発明の変更例３に係る移動通信システムについて、上述の第1の実施形態に係る移動通信システムとの相違点に着目して説明する。【００７８】
図１１に示すように、変更例３に係る移動通信システムは、ＬＴＥ方式の移動通信システムであって、かかる移動通信システムでは、無線基地局ＮｏｄｅＢ＃Ａ乃至ＮｏｄｅＢ＃Ｄは、交換局ＭＭＥに収容されており、ホーム無線基地局Ｈｏｍｅ-ＮｏｄｅＢ＃ａは、集約装置ＨＮＢ-ＧＷに収容されている。【００７９】
本変更例３では、交換局ＭＭＥ及び集約装置ＨＮＢ-ＧＷの双方が、上述のネットワーク装置の役割を果たすように構成されている。【００８０】
例えば、集約装置ＨＮＢ-ＧＷのセル選択部１５は、移動局ＵＥ＃Ｙからホームセル＃ａを介して無線リンク設定要求を受信した場合には、第１選択候補グループの中から、移動局ＵＥ＃Ｙとの間で無線リンクを確立するセルを選択するように構成されていてもよい。【００８１】
また、交換局ＭＭＥのセル選択部１５は、移動局ＵＥ＃Ｘからマクロセル＃Ａを介して無線リンク設定要求を受信した場合には、第２選択候補グループの中から、移動局ＵＥ＃Ｘとの間で無線リンクを確立するセルを選択するように構成されていてもよい。【００８２】
また、集約装置ＨＮＢ-ＧＷのセル選択部１５は、移動局ＵＥ＃Ｙからホームセル＃ａを介して無線リンク設定要求を受信した場合に、集約装置ＨＮＢ-ＧＷの位置情報取得部１４によって測定（取得）された移動局ＵＥ＃Ｙの位置情報に応じて、上述の第１選択候補グループ或いは第２選択候補グループのいずれかから、移動局ＵＥ＃Ｙとの間で無線リンクを確立するセルを選択するように構成されていてもよい。【００８３】
また、交換局ＭＭＥのセル選択部１５は、移動局ＵＥ＃Ｘからマクロセル＃Ａを介して無線リンク設定要求を受信した場合に、交換局ＭＭＥの位置情報取得部１４によって測定（取得）された移動局ＵＥ＃Ｘの位置情報に応じて、上述の第１選択候補グループ或いは第２選択候補グループのいずれかから、移動局ＵＥ＃Ｙとの間で無線リンクを確立するセルを選択するように構成されていてもよい。【００８４】
或いは、集約装置ＨＮＢ-ＧＷのセル選択部１５又は交換局ＭＭＥのセル選択部１５のどちらか一方が、移動局ＵＥからホームセル＃ａ又はマクロセル＃Aを介して無線リンク設定要求を受信した場合には、第１選択候補グループ又は第２選択候補グループの中から、当該移動局ＵＥとの間で無線リンクを確立するセルを選択するように構成されていてもよい。【００８５】
かかる場合、交換局ＭＭＥやホーム無線基地局Ｈｏｍｅ-ＮｏｄｅＢ＃ａの少なくとも１つが、所定インターフェイスを介して、配下のセルに係る各種情報を、集約装置ＨＮＢ-ＧＷに通知するように構成されていてもよい。【００８６】
或いは、集約装置ＨＮＢ-ＧＷや無線基地局ＮｏｄｅＢ＃Ａ乃至ＮｏｄｅＢ＃Ｄの少なくとも１つが、所定インターフェイスを介して、配下のセルに係る各種情報を、交換局ＭＭＥに通知するように構成されていてもよい。【００８７】
（変更例４）
以下、図１２を参照して、本発明の変更例４に係る移動通信システムについて、上述の第1の実施形態に係る移動通信システムとの相違点に着目して説明する。【００８８】
図１２に示すように、変更例４に係る移動通信システムでは、無線基地局ＮｏｄｅＢ＃Ａ乃至ＮｏｄｅＢ＃Ｄは、無線制御装置ＲＮＣに収容されており、ホーム無線基地局Ｈｏｍｅ-ＮｏｄｅＢ＃ａは、ゲートウェイ装置ＧＷに収容されている。【００８９】
本変更例４では、無線制御装置ＲＮＣ及びホーム無線基地局Ｈｏｍｅ-ＮｏｄｅＢ＃ａの双方が、上述のネットワーク装置の役割を果たすように構成されている。【００９０】
例えば、ホーム無線基地局Ｈｏｍｅ-ＮｏｄｅＢ＃ａのセル選択部１５は、移動局ＵＥ＃Ｙからホームセル＃ａを介して無線リンク設定要求を受信した場合には、第１選択候補グループの中から、移動局ＵＥ＃Ｙとの間で無線リンクを確立するセルを選択するように構成されていてもよい。【００９１】
或いは、ホーム無線基地局Ｈｏｍｅ-ＮｏｄｅＢ＃ａのセル選択部１５は、移動局ＵＥ＃Ｙからホームセル＃ａを介して無線リンク設定要求を受信した場合に、ホーム無線基地局Ｈｏｍｅ-ＮｏｄｅＢ＃ａの位置情報取得部１４によって測定（取得）された移動局ＵＥ＃Ｙの位置情報に応じて、上述の第１選択候補グループ或いは第２選択候補グループのいずれかから、移動局ＵＥ＃Ｙとの間で無線リンクを確立するセルを選択するように構成されていてもよい。【００９２】
ここで、ホーム無線基地局Ｈｏｍｅ-ＮｏｄｅＢ＃ａは、配下のセル以外のセルに係る各種情報について、プラグアンドプレイ方式等で予め記憶しておくことができる。【００９３】
なお、上述の移動局ＵＥや無線基地局ＮｏｄｅＢ又はｅＮＢやホーム無線基地局Ｈｏｍｅ-ＮｏｄｅＢや交換機ＭＭＥ又はＭＳＣ/ＳＧＳＮや無線制御局ＲＮＣや集約装置ＨＮＢ-ＧＷやゲートウェイ装置ＧＷの動作は、ハードウェアによって実施されてもよいし、プロセッサによって実行されるソフトウェアモジュールによって実施されてもよいし、両者の組み合わせによって実施されてもよい。【００９４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００９５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢ又はｅＮＢやホーム無線基地局Ｈｏｍｅ-ＮｏｄｅＢや交換機ＭＭＥ又はＭＳＣ/ＳＧＳＮや無線制御局ＲＮＣや集約装置ＨＮＢ-ＧＷやゲートウェイ装置ＧＷ内に設けられていてもよい。また、かかる記憶媒体及びプロセッサは、ディスクリートコンポーネントとして移動局ＵＥや無線基地局ＮｏｄｅＢ又はｅＮＢやホーム無線基地局Ｈｏｍｅ-ＮｏｄｅＢや交換機ＭＭＥ又はＭＳＣ/ＳＧＳＮや無線制御局ＲＮＣや集約装置ＨＮＢ-ＧＷやゲートウェイ装置ＧＷ内に設けられていてもよい。【００９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【００９７】
以上説明したように、本発明によれば、周波数ｆ１が利用されているホームセル＃ａが、同じく周波数ｆ１が利用されているマクロセル＃Ａ内に存在している場合に、ホームセル＃ａによる干渉の影響を回避しつつ、周波数利用効率の向上を図ることができる移動通信システム及びネットワーク装置を提供することができる。
【図１】
2009107802.tif 000003
【図２】
2009107802.tif 000004
【図３】
2009107802.tif 000005
【図４】
2009107802.tif 000006
【図５】
2009107802.tif 000007
【図６】
2009107802.tif 000008
【図７】
2009107802.tif 000009
【図８】
2009107802.tif 000010
【図９】
2009107802.tif 000011
【図１０】
2009107802.tif 000012
【図１１】
2009107802.tif 000013
【図１２】
2009107802.tif 000014
【国際調査報告】
2009107802.tif 000015
2009107802.tif 000016